(57)【特許請求の範囲】
【請求項１】
高圧空気流発生装置を内蔵する本体ケーシングと、
前記本体ケーシングの上部又は正面に形成された手挿入口及び該手挿入口の奥に形成された手乾燥室と、
前記高圧空気流発生装置から供給される高圧空気を前記手挿入口に噴出するノズルと、
を備える手乾燥装置において、
前記手乾燥室の左右側壁を構成する前記本体ケーシングの一部に形成された排気口と、
下部を開口させて前記排気口の全面を内側から覆い前記排気口の下端よりも下方へ延びた遮水壁と、
を備えることを特徴とする手乾燥装置。
【請求項２】
前記遮水壁は、下部ほど前記手乾燥室の内方へ張出すように、傾斜していることを特徴とする請求項１に記載の手乾燥装置。
【請求項３】
前記排気口が形成された前記手乾燥室の左右側壁は、前記本体ケーシングに着脱自在な側面パネルとなっていることを特徴とする請求項１又は２に記載の手乾燥装置。
【請求項４】
前記排気口には、排気の向きを偏向させるルーバーが設けられていることを特徴とする請求項１〜３のいずれか一つに記載の手乾燥装置。
【発明の詳細な説明】
【技術分野】
【０００１】
本発明は、洗浄後の濡れた手に空気を吹き付けて衛生的に乾燥させる手乾燥装置に関するものである。
【背景技術】
【０００２】
従来の手乾燥装置として、電動送風機（高圧空気流発生装置）が内蔵された箱状の本体ケーシングと、手を乾燥するため本体ケーシング内に設けられた手乾燥室と、前記本体ケーシングの正面に開設された前記手乾燥室に手を挿入するための開口部（手挿入口）と、前記電動送風機から送給される空気流を前記手乾燥室内へ挿入された手に向かって吹き出すために設けられたノズルとを備えた手乾燥装置において、前記手乾燥室の左右側面を構成する前記本体ケーシングの一部に通気口（排気口）を設けるとともに、前記通気口の少なくとも一部に水滴の通過を防止する遮水手段として複数の板状体（ルーバー）を間隔を隔てて配置し、正面開口部からの不快な吹き返しや、装置周辺への水滴の発散を少なくしたものがある（例えば、特許文献１参照）。
【０００３】
【特許文献１】特開２００５−３２９２６６号公報
【発明の開示】
【発明が解決しようとする課題】
【０００４】
しかしながら、上記従来の技術によれば、手から飛散した水滴が手乾燥室の左右側面の通気口（排気口）を通過しないように通気口に複数の板状体（ルーバー）を間隔を隔てて配置し、空気を板状体の間から本体ケーシング外へ排気しているが、手から飛散する水滴には左右方向に飛散するものがあり、板状体の間からは、どうしても水滴が飛び出してしまう。
【０００５】
また、板状体により一旦遮水された水滴の一部は、重力により垂下して板状体の下端に水滴状に溜まり、板状体の間から本体ケーシング外へ吹き出す空気流により吹き飛ばされたり、本体ケーシング表面に伝わって垂れ落ちたりする。
【０００６】
そのため、正面開口部（手挿入口）からの不快な吹き返しは少なくすることができるが、手乾燥装置が使用される度に徐々に、付近の壁や床、本体ケーシングの開口部付近や下部等が水滴で汚れ、不衛生な状態となってしまう、という問題があった。
【０００７】
本発明は、上記に鑑みてなされたものであって、手挿入口からの不快な吹き返しを少なくすることができ、かつ、付近の壁や床、本体ケーシングの手挿入口付近や下部等が水滴で汚れることの少ない手乾燥装置を得ることを目的とする。
【課題を解決するための手段】
【０００８】
上述した課題を解決し、目的を達成するために、本発明は、高圧空気流発生装置を内蔵する本体ケーシングと、前記本体ケーシングの上部又は正面に形成された手挿入口及び該手挿入口の奥に形成された手乾燥室と、前記高圧空気流発生装置から供給される高圧空気を前記手挿入口に噴出するノズルと、を備える手乾燥装置において、前記手乾燥室の左右側壁を構成する前記本体ケーシングの一部に形成された排気口と、下部を開口させて前記排気口の全面を内側から覆い前記排気口の下端よりも下方へ延びた遮水壁と、を備えることを特徴とする。
【発明の効果】
【０００９】
この発明によれば、排気口から水滴が殆んど飛散せず、付近の壁や床、本体ケーシングの開口部付近や下部等が水滴で汚れることの少ない手乾燥装置が得られるという効果を奏する。
【発明を実施するための最良の形態】
【００１０】
以下に、本発明にかかる手乾燥装置の実施の形態を図面に基づいて詳細に説明する。なお、この実施の形態によりこの発明が限定されるものではない。
【００１１】
実施の形態．
図１は、本発明にかかる手乾燥装置の実施の形態を示す斜視図であり、図２は、本発明にかかる手乾燥装置の実施の形態を示す正面断面図であり、図３は、他の実施の形態を示す一部破断正面図である。
【００１２】
図１及び図２に示すように、実施の形態の手乾燥装置１００は、直方体の箱状の本体ケーシング１の上部に手挿入口５が形成され、手挿入口５の奥としての下方には、手乾燥室３が形成されている。本体ケーシング１内には、高圧空流発生装置２が内蔵、設置され、手挿入口５の壁部に設けられたエアーノズル８から高圧空気流を噴出させ、手乾燥室３に挿入された手の水分を手乾燥室３内に吹き飛ばして手を乾燥させる。
【００１３】
手挿入口５及び手乾燥室３は、揃えた状態の両手を、上下方向や斜め上下方向に挿抜できるようになっていて、手乾燥室３の底部６は、左右に向って下り勾配に形成され、底部６の両側端部には、排水口７が形成されている。
【００１４】
高圧空気流発生装置２は、図示しないＤＣブラシレスモーター（通常の整流子モーター又は誘導電動モーターであってもよい。）と、制御部と、ＤＣブラシレスモーターにより駆動されるターボファン又は遠心ファンと、を備え、この実施の形態では、本体ケーシング１の手乾燥室３の下方に内蔵、設置されていて、制御部により制御されて自動運転される。
【００１５】
高圧空気流発生装置２の吸気口は、本体ケーシング１内に設けられた図示しない吸気通路に接続され、本体ケーシング１の底面に設けられた吸気通路の吸込口から外部の空気を吸込むようになっている。
【００１６】
高圧空気流発生装置２の吹出口は、手乾燥室３の前側と後側に二股に分岐した図示しないダクトに接続されている。分岐したダクトの各端は、手挿入口５の前後の壁部に横方向ライン状に配列されたエアーノズル８に接続されている。エアーノズル８は、高圧空気流発生装置２から送られてくる高圧空気を高速気流に変換して手挿入口５及び手乾燥室３に噴出させる。
【００１７】
二組のエアーノズル８は、手挿入口５の前後の壁部に、噴出口をやや下向きにして横方向ライン状に互いに対向して設けられ、手挿入口５及び手乾燥室３内に挿入した手に、高速気流を吹き付け、手を擦り合わせなくても、手に付いた水分を手乾燥室３内へ吹き飛ばす。
【００１８】
本体ケーシング１の下部には、吹き飛ばされた水滴のドレン水を貯める水容器９が着脱可能に設置され、本体ケーシング１には、排水口７から水容器９へドレン水を流す排水路１０が設けられている。
【００１９】
排水口７及び排水路１０は、本体ケーシング１の一部を構成する側面パネル１ａと、本体ケーシング１の側面に形成された溝と、で構成されている。手乾燥室３の左右側壁を構成する側面パネル１ａは、本体ケーシング１に着脱可能に装着されていて、手乾燥室３内や、排水路１０等を容易に清掃することができるようになっている。
【００２０】
側面パネル１ａの手乾燥室３の側壁部分には、排気口１２が形成され、排気口１２には、排気の向きを偏向させるルーバー１４が設けられている。排気口１２の内側には、排気口１２の全面を内側から覆うように、遮水壁１３が設けられている。遮水壁１３の下端は、排気口１２の下端よりも下方へ延び、遮水壁１３の下部が、排気口１２の下方の側面パネル１ａの壁と少し重なっている。遮水壁１３の下部には、手乾燥室３と排気口１２とを連通させる開口１５が形成されている。
【００２１】
排気口１２の内側に排気口１２の全面を覆う遮水壁１３を設けることにより、手から吹き飛ばされた水滴が、直接、排気口１２へ飛散するのを防ぎ、手乾燥室３へ吹き出された空気のみが、開口１５を通って排気口１２から排気される。また、ルーバー１４により、排気の向きを下向きにすることができ、排気を使用者の顔から離れる方向に向けることができるので、排気が使用者の顔に当り難くなり、使い勝手がよい。
【００２２】
次に、実施の形態の手乾燥装置１００の全体作用を説明する。使用者が、手挿入口５から手乾燥室３内に、両手を揃えて概ね手首付近まで挿入すると、図示しない手検知センサーによって手が検知され、制御部の制御により高圧空気流発生装置２が作動し、エアーノズル８から高い運動エネルギーを持つ高速気流（ライン状噴流）が手乾燥室３内に吹き出され、挿入された手の表裏の水分を手乾燥室３の奥側へ吹き飛ばす。
【００２３】
さらに、手乾燥室３内に手を挿抜すると、手に付着していた水分がほとんど除去されて手が乾燥する。手の乾燥後、手を手挿入口５から抜くと、手検知センサーがこれを検知し、制御部の制御により高圧空気流発生装置２が停止する。
【００２４】
ノズル８から吹出された空気及び手から吹き飛ばされた水滴は、手乾燥室３の底部６に当たる。底部６は、左右両側端に向かう下り傾斜となっていて、水滴を含んだ空気は、底部６を左右両側端に向って流れ、左右両側端に設けられた排水口７へ導かれ、水滴が排水路１０を通って水容器９に貯められる。
【００２５】
一方、空気は、開口１５を通って排気口１２から排気される。ルーバー１４により、排気の向きが下向きにされ、排気は使用者の顔から離れる方向に向けられる。水滴は、側面パネル１ａの内壁を登ることができず、開口１５及び排気口１２を通って水滴が外部に飛散することは殆んどない。
【００２６】
以上説明した実施の形態の手乾燥装置１００の構成及び作用により、排気口１２から外部への水滴飛散を防止することができるとともに、排気を使用者の顔から離れる方向に向けることができるので、使用者の顔への吹き返しを抑えた使い勝手の良い手乾燥装置が得られる。
【００２７】
なお、遮水壁１３は、開口１５の開口面積を大きくして排気性をよくするために、遮水壁１３の下部ほど手乾燥室３内方へ張出すように、傾斜させるとよい。また、側面パネルは、本体ケーシング１と一体として取外しできないものであってもよい。
【００２８】
また、図３に示すように、遮水壁１３を、高圧空気流発生装置２を内蔵する本体ケーシング１と、本体ケーシング１の正面に形成された手挿入口５及び手挿入口５の奥に形成された手乾燥室３と、高圧空気流発生装置２から供給される高圧空気を手挿入口５に噴出するノズル８と、を備える手乾燥装置２００の、手乾燥室３の左右側壁を構成する本体ケーシングの１一部に形成された排気口１２に、開口１５により下部を開口させて排気口１２を内側から覆うように設けるようにしてもよい。
【００２９】
図３に示す手乾燥装置２００の遮水壁１３の下端は、排気口１２の下端よりも下方へ延びている。この遮水壁１３を、下部ほど手乾燥室３の内方へ張出すように傾斜させるとよい。また、排気口１２には、排気の向きを偏向させるルーバー１４を設けるとよい。手乾燥装置２００の下部には、ドレン水を受ける着脱自在な水容器９が設置されている。この手乾燥装置２００においても、上述の手乾燥装置１００と同等の効果が得られる。
【産業上の利用可能性】
【００３０】
以上のように、本発明にかかる手乾燥装置は、水滴が排気口から外部へ飛散しない手乾燥装置として有用である。
【図面の簡単な説明】
【００３１】
【図１】本発明にかかる手乾燥装置の実施の形態を示す斜視図である。
【図２】本発明にかかる手乾燥装置の実施の形態を示す正面断面図である。
【図３】本発明にかかる手乾燥装置の他の実施の形態を示す一部破断正面図である。
【符号の説明】
【００３２】
１  本体ケーシング
１ａ  側面パネル
２  高圧空気発生装置
３  手乾燥室
５  手挿入口
６  底部
７  排水口
８  エアーノズル
９  水容器
１０  排水路
１２  排気口
１３  遮水壁
１４  ルーバー
１５  開口
１００，２００  手乾燥装置
【図１】
0004579195.tif 000002
【図２】
0004579195.tif 000003
【図３】
0004579195.tif 000004